(57)【要約】      （修正有）【課題】  コストアップすることなく、処理能力の高い画像記録装置を提供すること。【解決手段】  画像データ記憶手段と記録枚数記憶手段とＮ個（Ｎ≧２）の長尺状記録媒体を供給するＮ個の供給手段と供給手段により供給された記録媒体を搬送する搬送手段と画像記録手段とを有し、記録枚数が、Ｎ×ｍ（ｍ＝１、２、３、．．．）のときは、Ｎ個の供給手段によりＮ個の記録媒体を搬送手段に供給して、Ｎ個の記録媒体にｍ回の画像記録を行い、記録枚数が、Ｎ×ｍ＋Ｋ（ｍ＝１、２、３、．．．、Ｋ＝１、２、３、．．．、Ｎ−１）のときは、Ｎ個の供給手段のうちＫ個の供給手段によりＫ個の記録媒体を搬送手段に供給して画像記録を行い、搬送手段がＫ個の記録媒体を１枚の画像長さに対応する所定長さ搬送した時点で、残りＮ−Ｋ個の供給手段によりＮ−Ｋ個の記録媒体を搬送手段に供給して、Ｎ個の記録媒体にｍ回の画像記録を行うことを特徴とする画像記録装置。【選択図】  図１
2006347101.tif 000002
【特許請求の範囲】
【請求項１】
画像データを記憶する画像データ記憶手段と、
記録する画像の枚数を記憶する枚数記憶手段と、
Ｎ個（Ｎ≧２）の長尺状の記録媒体に対応して設けられたＮ個の記録媒体を供給する供給手段と、
該供給手段により供給された１つ以上の記録媒体を同時に搬送する１つの搬送手段と、
前記搬送手段により搬送される記録媒体に、前記画像データ記憶手段に記憶された画像データを記録する記録手段と、
前記搬送手段及び前記記録手段よりも記録媒体搬送方向にみて下流側に設けられ、記録媒体を切断する切断手段と、を有する画像記録装置において、
前記枚数記憶手段に記憶された一連の記録枚数が、Ｎ×ｍ（ｍ＝１、２、３、．．．）のときは、前記Ｎ個の供給手段によりＮ個の記録媒体を前記搬送手段に供給して、Ｎ個の記録媒体に同時にｍ回の画像記録を行い、
前記枚数記憶手段に記憶された一連の記録枚数が、Ｎ×ｍ＋Ｋ（ｍ＝１、２、３、．．．、Ｋ＝１、２、３、．．．、Ｎ−１）のときは、前記Ｎ個の供給手段のうちＫ個の供給手段によりＫ個の記録媒体を前記搬送手段に供給して、Ｋ個の記録媒体に同時に画像記録を行い、
前記搬送手段が前記Ｋ個の記録媒体を１枚の画像長さに対応する所定長さ搬送した時点で、残りＮ−Ｋ個の供給手段によりＮ−Ｋ個の記録媒体を前記搬送手段に供給して、Ｎ個の記録媒体に同時にｍ回の画像記録を行うよう制御する制御手段を有することを特徴とする画像記録装置。
【発明の詳細な説明】
【技術分野】
【０００１】
本発明は、画像記録装置に関し、更に詳しくは、複数の長尺状の記録媒体上に画像記録を行い、画像記録された記録媒体をシート状に切断する画像記録装置に関する。
【背景技術】
【０００２】
近年、インクジェット記録装置、溶融熱転写型記録装置、昇華型熱転写記録装置等の画像記録装置において処理能力向上の要求が高まっている。
【０００３】
通常、上記の画像記録装置においては、複数の長尺状の記録媒体を搬送しながら画像記録を行うとともに、得られた画像を所定の長さに切断するように構成されている。
【０００４】
この様な構成の画像記録装置において、処理能力を向上させるために以下のような技術が提案されている。
【０００５】
１つは、従来技術１として図１１に示すように、例えば、２つのロール状に巻かれた長尺記録媒体１ａ、１ｂをそれぞれの記録媒体に対応した供給ローラ１０ａ、１０ｂで供給し、供給された記録媒体を１つの搬送ローラ２１で搬送し、搬送された記録媒体にインクジェット等の記録ヘッド３０を走査しながら画像記録を行い、画像が記録された記録媒体を切断手段５０で所定長さに切断する画像記録装置であり、画像記録順序と切断順序を制御することにより処理能力を向上させるものである（例えば、特許文献１参照）。
【０００６】
図１２〜図１５を用いて、上記画像記録装置について２個の記録媒体１ａ、１ｂに５枚の画像を記録する場合を例にとって説明する。
【０００７】
先ず、記録媒体１ａ、１ｂの先端を合わせた後、供給ローラ１０ａ、１０ｂ、搬送ローラ２１を駆動しながら記録ヘッド３０を走査して、記録媒体１ａに画像１、記録媒体１ｂに画像２の記録を開始する（図１２（ａ）参照）。
【０００８】
なお、記録媒体１ａ、１ｂは、記録ヘッド３０の走査毎に搬送ローラ２１により４ｍｍ送られる。
【０００９】
次に、画像１、２を画像長さ分（８８ｍｍ）記録後、画像３を記録媒体１ａに、画像４を記録媒体１ｂに記録開始する（図１２（ｂ）参照）。
【００１０】
画像３、４の記録を開始してから６８ｍｍ記録した時点、即ち、記録開始位置から記録終了位置までの距離Ｌ３（３２ｍｍ）に記録終了位置から切断位置までの距離Ｌ４（３６ｍｍ）を加えた距離６８ｍｍ記録した時点で、画像１、２を切断する（図１２（ｃ）参照）。
【００１１】
続いて、画像３、４を２０ｍｍ（８８ｍｍ−３２ｍｍ−３６ｍｍ）記録後、記録媒体１ａに画像５の記録を開始し（図１３（ｄ）参照）、６８ｍｍ（３２ｍｍ＋３６ｍｍ）記録した時点で画像３、４を切断する（図１３（ｅ）参照）。
【００１２】
次に、画像５を５２ｍｍ（８８ｍｍ−６８ｍｍ＋３２ｍｍ）記録して画像５の記録を終了する（図１３（ｆ）参照）。画像５の記録終了後、記録媒体１ａ、１ｂを１６０ｍｍ＋αｍｍ（８８ｍｍ＋３２ｍｍ＋４０ｍｍ＋αｍｍ）逆転する（図１４（ｇ）参照）。
【００１３】
なお、４０ｍｍは搬送ローラ２１から記録開始位置までの距離Ｌ２であり、αｍｍは搬送ローラ２１から待機位置までの距離を表している。
【００１４】
記録媒体１ａ、１ｂの戻しを終了した後、供給ローラ１０ａ、搬送ローラ２１を駆動して記録媒体１ａのみ１９６ｍｍ＋αｍｍ（８８ｍｍ＋３６ｍｍ＋３２ｍｍ＋４０ｍｍ＋αｍｍ）搬送して画像５を切断する（図１４（ｈ）参照）。
【００１５】
切断完了後、記録媒体１ａを１０８ｍｍ＋αｍｍ（３６ｍｍ＋３２ｍｍ＋４０ｍｍ＋αｍｍ）逆転させ記録媒体１ａ、１ｂの先端を揃えた後（図１４（ｉ）参照）、供給ローラ１０ａ、１０ｂ、搬送ローラ２１を駆動して記録媒体１ａ、１ｂを４０ｍｍ＋αｍｍ搬送し先端を画像開始位置に移動させて次の画像記録まで待機する（図１５（ｊ）参照）。
【００１６】
処理能力を向上させる他の技術（従来技術２）として、図１６に示すように、従来技術１の構成を変形したものがある。この構成においては、搬送ローラを記録媒体に対応した数（例えば、記録媒体１ａ、１ｂに対して搬送ローラ２１ａ、２１ｂ）だけ用意することにより個々に記録媒体の搬送を制御することが出来るため、図１１の構成に比べて記録媒体の搬送、戻しの回数を減らすことが可能となり、処理能力を更に向上させることが出来る（例えば、特許文献１参照）。
【特許文献１】特開２００２−３６６４４号公報
【発明の開示】
【発明が解決しようとする課題】
【００１７】
しかしながら、特許文献１のうち図１１に示した構成では、偶数枚の画像記録を行う場合には問題ないが、奇数枚の記録を行う場合に、最後の１枚を記録後、図１４（ｇ）〜図１５（ｊ）までの操作が必要となり、処理時間の向上が図れないという問題がある。
【００１８】
また、図１６に示した構成では、処理時間の短縮は可能となるが、高精度の搬送ローラが記録媒体に対応した数だけ必要となりコストアップになってしまう。
【００１９】
本発明の目的は、上述した問題に鑑みてなされたもので、コストアップすることなく、処理能力の高い画像記録装置を提供することにある。
【課題を解決するための手段】
【００２０】
本発明の目的は、下記の構成により達成することが出来る。
（請求項１）
画像データを記憶する画像データ記憶手段と、
記録する画像の枚数を記憶する枚数記憶手段と、
Ｎ個（Ｎ≧２）の長尺状の記録媒体に対応して設けられたＮ個の記録媒体を供給する供給手段と、
該供給手段により供給された１つ以上の記録媒体を同時に搬送する１つの搬送手段と、
前記搬送手段により搬送される記録媒体に、前記画像データ記憶手段に記憶された画像データを記録する記録手段と、
前記搬送手段及び前記記録手段よりも記録媒体搬送方向にみて下流側に設けられ、記録媒体を切断する切断手段と、を有する画像記録装置において、
前記枚数記憶手段に記憶された一連の記録枚数が、Ｎ×ｍ（ｍ＝１、２、３、．．．）のときは、前記Ｎ個の供給手段によりＮ個の記録媒体を前記搬送手段に供給して、Ｎ個の記録媒体に同時にｍ回の画像記録を行い、
前記枚数記憶手段に記憶された一連の記録枚数が、Ｎ×ｍ＋Ｋ（ｍ＝１、２、３、．．．、Ｋ＝１、２、３、．．．、Ｎ−１）のときは、前記Ｎ個の供給手段のうちＫ個の供給手段によりＫ個の記録媒体を前記搬送手段に供給して、Ｋ個の記録媒体に同時に画像記録を行い、
前記搬送手段が前記Ｋ個の記録媒体を１枚の画像長さに対応する所定長さ搬送した時点で、残りＮ−Ｋ個の供給手段によりＮ−Ｋ個の記録媒体を前記搬送手段に供給して、Ｎ個の記録媒体に同時にｍ回の画像記録を行うよう制御する制御手段を有することを特徴とする画像記録装置。
【発明の効果】
【００２１】
請求項１の発明によれば、Ｎ個の長尺状の記録媒体に画像記録する場合に、画像記録すべき一連の枚数が何枚であっても、全ての画像の記録が終了する時点ではＮ個の記録媒体全てに画像が記録されるように構成されているため、従来技術１のように記録媒体を切断するために何度も往復搬送する必要がなく、処理能力の向上を図ることが出来る。また、従来技術２に比べて、高精度な搬送手段を記録媒体の数だけ用意する必要がないため、コストアップを抑えつつ処理能力の向上を図ることが出来る。
【発明を実施するための最良の形態】
【００２２】
以下、本発明の実施の形態の一例を説明する。なお、本欄の記載は請求項の技術的範囲や用語の定義を限定するものではなく、また、以下の本発明の実施の形態における断定的な説明は、ベストモードを示すものであって、本発明の用語の意義や技術的範囲を限定するものではない。
【００２３】
先ず、本発明に係わる実施の形態の画像記録装置について図１を用いて説明する。
【００２４】
図１はインクジェット方式により画像を記録する画像記録装置Ａの概略断面図である。
【００２５】
なお、画像記録装置としてはインクジェット記録装置に限定されることなく、例えば、溶融熱転写型記録装置、昇華型熱転写記録装置等であっても良い。
【００２６】
図において、１ａ、１ｂはロール状に巻かれた長尺記録媒体であり、１０ａ、１０ｂはそれぞれ記録媒体１ａ、１ｂを個別に供給するための第１供給ローラ、第２供給ローラであり、２１は、記録媒体１ａ、１ｂにまたがって配置され、第１供給ローラ１０ａ、第２供給ローラ１０ｂにより供給された記録媒体を同時に搬送可能な搬送ローラである。
【００２７】
第１供給ローラ１０ａ、第２供給ローラ１０ｂはそれぞれ第１供給モータ１１ａ、第２供給モータ１１ｂにより駆動され、搬送ローラ２１は搬送モータ２２によって駆動される。
【００２８】
第１供給ローラ１０ａ、第２供給ローラ１０ｂ、第１供給モータ１１ａ、第２供給モータ１１ｂ等により供給手段１０が構成され、搬送ローラ２１、搬送モータ２２等により搬送手段２０が構成されている。
【００２９】
第１供給モータ１１ａ、第２供給モータ１１ｂ、搬送モータ２２は、ピッチ送りが可能なものであれば良く、例えば、高精度搬送が要求される搬送モータ２２はロータリエンコーダ付きのサーボモータ、それほど精度が要求されない第１供給モータ１１ａ、第２供給モータ１１ｂは安価なステッピングモータで構成することが好ましい。
【００３０】
３０は、搬送ローラ２１の記録媒体搬送方向下流側に設けたインクジェット方式により記録媒体１ａ、１ｂに画像記録を行うための記録手段であり、インクを吐出する記録ヘッド３１、ヘッドドライバ等により構成されているが、記録ヘッド３１の構成については後述する。
【００３１】
４０は、記録ヘッド３１を記録媒体搬送方向に対して直角方向に往復走査する走査手段であるが、構成については後述する。
【００３２】
５０は記録媒体を切断する切断手段であり、記録媒体を切断するものであればどのような構成でも良いが、例えば、切断モータ５１により移動刃５２を記録媒体１ａ、１ｂにまたがって記録媒体搬送方向に対して直交する方向に移動させても良く、また、ギロチン方式により切断するものであっても良い。
【００３３】
６０は切断された記録媒体を受け取る排紙皿である。
【００３４】
なお、本実施の形態では記録媒体及びこれを供給するための供給手段は２個としたが、これに限定されることなく２個以上であれば個数は限定されるものではない。
【００３５】
次に、記録ヘッド３１、走査手段４０について図を参照しながら説明する。
【００３６】
先ず、図２、図３、図４を用いて記録ヘッド３１について説明する。
【００３７】
図２は記録ヘッド３１の斜視図、図３は図２の矢印Ｘ方向から見た図、図４は図２の矢印Ｚ方から見た図である。
【００３８】
記録ヘッド３１には、Ｙ（黄色）、Ｍ（マゼンタ）、Ｃ（シアン）、ＢＫ（ブラック）の各色のインクが貯留されるＹインクタンク３１１、Ｍインクタンク３１２、Ｃインクタンク３１３、ＢＫインクタンク３１４及び、各インクタンクからのインクを噴射するＹノズル部３１５、Ｍノズル部３１６、Ｃノズル部３１７、ＢＫノズル部３１８が設けられている。
【００３９】
各ノズル部にはインクが出射する複数のノズル３１５Ａ、３１６Ａ、３１７Ａ、３１８８Ａが設けられている。
【００４０】
次に、走査手段４０について図５を用いて説明する。
【００４１】
４１は、記録ヘッド３１が記録媒体搬送方向に対して直角方向に移動するように、記録ヘッド３１に係合したガイドバーである。
【００４２】
４２はワイヤであり、記録媒体１ａ、１ｂよりも外側に設けたプーリ４３、４４に巻き回されているとともに、記録ヘッド３１に結合されている。
【００４３】
４５は走査モータであり、その出力軸はプーリ４３に結合されており、走査モータ４５の正逆の回転に伴い記録ヘッド３１が記録媒体搬送方向に対して直角方向に往復移動する。
【００４４】
次に、図１に戻って、本実施の形態の画像記録装置Ａの各部材の位置関係について説明する。
【００４５】
第１供給ローラ１０ａ及び第２供給ローラ１０ｂと搬送ローラ２１との間の記録媒体１ａ、１ｂの待機位置から搬送ローラ２１までの距離Ｌ１は４ｍｍ、搬送ローラ２１から記録手段３０による記録開始位置までの距離Ｌ２は４０ｍｍ、記録開始位置から記録終了位置までの距離Ｌ３は３２ｍｍ、記録終了位置から切断手段５０による切断位置までの距離Ｌ４は３６ｍｍに設定されている。
【００４６】
なお、走査手段４０による記録ヘッド３１の走査毎に搬送ローラ２１が記録媒体１ａ、１ｂを搬送する長さ（ピッチ）は４ｍｍであり、画像記録後切断された１枚の記録媒体のの長さ（サイズ）Ｘ１は８８ｍｍである。
【００４７】
次に、上述した構成の画像記録装置Ａの動作について、図６、図７、図８、図９、図１０を用いて説明する。
【００４８】
図６は画像記録装置Ａの制御構成図、図７はフローチャート図、図８、図９、図１０は画像記録装置Ａの各ステップでの動作状態を表す説明図である。
【００４９】
先ず、図６を用いて画像記録装置Ａの制御構成を説明する。
【００５０】
ＨＣは、画像記録装置Ａで記録する画像データを保存しているホストコンピュータである。
【００５１】
ホストコンピュータＨＣから送出される画像データは、インターフェース１０１を介して画像データメモリ１０２からなる画像データ記憶手段１００に、画像記録する枚数はインターフェース１０１を介して枚数記憶メモリ２０２からなる枚数記憶手段２００に取り込まれる。
画像記録装置Ａの制御手段３００は、各種制御を行うＣＰＵ、各種データ、制御プログラムを記憶するＲＯＭ、ＲＡＭ等から構成されている。
【００５２】
制御手段３００は第１供給モータ１１ａ、第２供給モータ１１ｂ、搬送モータ２２、切断モータ５１、走査モータ４５等の駆動制御を行う。
【００５３】
この様な構成の基で、画像メモリ１０２に格納された画像データは制御手段３００の命令に基づいて、ヘッドドライバ３１Ａに送出され、ヘッドドライバ３１ＡによりＹ、Ｍ、Ｃ、ＢＫの４色の記録ヘッド３１が駆動され、枚数記憶メモリー２０２に記憶された枚数分だけ記録媒体１ａ、１ｂに画像が記録される。
【００５４】
次に、図７、図８、図９、図１０を用いて画像記録装置Ａの動作について説明する。
【００５５】
なお、本実施の形態では、記録媒体の個数Ｎは２、一連の画像記録を行う枚数Ｍは５であるが、これに限定されることなく、例えば、個数Ｎは２以上であればよく、又、枚数Ｍは何枚であっても良い。
【００５６】
ホストコンピュータＨＣから画像データ記憶手段１００と枚数記憶手段２００に画像データと記録枚数が入力されて、制御手段３００の制御が開始されると、一連の記録枚数Ｍを基にして以下の計算を行う（ＳＴ１）。
【００５７】
・Ｎ個の記録媒体に同時に画像記録を行うべき回数ｍを計算する。即ち、枚数Ｍを記録媒体個数Ｎで除した値と同じか小さく、かつ、最も近い整数をｍとし制御手段３００内部に記憶する。本実施の形態では、ｍ＝２である。
【００５８】
・Ｎ個の記録媒体の同時画像記録に先行して画像記録を行うべき記録媒体の個数Ｋ（Ｍ−ｍ×Ｎ）を求め、制御手段３００内部に記憶する。本実施の形態では、Ｋ＝Ｍ−ｍ×Ｎ＝５−２×２＝１である。
【００５９】
・制御手段３００内に設けた切断回数をカウントする切断カウンタｉをリセットする。
【００６０】
ＳＴ１の動作完了後、Ｋ＝０かどうか、即ち、Ｎ個の記録媒体を同時に搬送しながら画像記録を行うことにより処理が可能かどうか判定し（ＳＴ２）、ＮＯの場合には、ＳＴ３に進み、Ｋ個（列）の記録媒体を記録開始位置まで（Ｌ１＋Ｌ２）搬送する。本実施の形態では、Ｋ＝１であるのでＳＴ３に進み、第１供給ローラ１０ａ、搬送ローラ２１を駆動して、記録媒体１ａをＬ１＋Ｌ２＝４ｍｍ＋４０ｍｍ＝４４ｍｍ搬送する（図８（ａ）、（ｂ）参照）。なお、ＹＥＳの場合、即ち，Ｋ＝０の場合についての動作については後述するものとする。
【００６１】
続いて、Ｋ列の記録媒体に画像１〜Ｋを記録開始し（ＳＴ４）、長さ（Ｘ１−Ｌ１−Ｌ２）だけ進んだかどうか判定し、ＮＯの場合にはＳＴ４の動作を繰り返し、ＹＥＳになったら、残りの（Ｎ−Ｋ）列の記録媒体の搬送を開始する（ＳＴ６）。
【００６２】
本実施の形態では、１列目の記録媒体１ａに画像１の記録を開始した後、長さ４４ｍｍ（Ｘ１−Ｌ１−Ｌ２＝８８ｍｍ−４ｍｍ−４０ｍｍ）記録が進んだ時点で、２列目の記録媒体１ｂの搬送を開始する（図８（ｃ）参照）。
【００６３】
続いて、Ｋ列の記録媒体にＸ１（８８ｍｍ）の長さ分だけ画像記録が終了したかどうか、即ち、画像間の境界が記録開始位置に到達したかどうか判定し（ＳＴ７）、ＹＥＳの場合には、ＳＴ８に進み以下の動作を行う。
【００６４】
・Ｋ列の記録媒体に画像Ｋ＋１〜２Ｋの記録を開始する。
【００６５】
・残りの（Ｎ−Ｋ）列の記録媒体に画像２Ｋ＋１〜Ｎ＋Ｋの記録を開始する。
【００６６】
本実施の形態では、記録媒体１ａに画像２、記録媒体１ｂに画像３を記録する（図９（ｄ）参照）。
【００６７】
ＳＴ８においてＮ列全ての記録を開始した後、さらに（Ｌ３＋Ｌ４）記録が進んだかどうか判定し（ＳＴ９）、ＹＥＳであれば、Ｋ列の記録媒体を切断する（ＳＴ１０）。
【００６８】
本実施の形態では、さらに６８ｍｍ（Ｌ３＋Ｌ４＝３２ｍｍ＋３６ｍｍ）記録媒体１ａ、１ｂに記録した後、記録媒体１ａを切断し画像１を得る（図９（ｅ）参照）。
【００６９】
ＳＴ１０の切断動作が完了したらＮ列の記録を再開し、Ｘ１（８８ｍｍ）の長さ分画像記録が終了したかどうか、即ち、画像の境界が記録開始位置に到達したかどうか判定し（ＳＴ１１）、ＹＥＳになったならば、切断カウンタｉに１を加え（ＳＴ１２）、切断カウンタｉの値が回数ｍに等しくなったかどうか判別し（ＳＴ１３）、ＮＯの場合には、Ｎ列の記憶媒体に次のＮ個の画像（Ｋ＋Ｎ×ｉ＋１）〜（Ｋ＋Ｎ×（ｉ＋１））の記録を開始する（ＳＴ１４）。
【００７０】
本実施の形態では、切断カウンタｉの値（１）が回数ｍ（２）に達していないので、記録媒体１ａに画像４を、記録媒体１ｂに画像５を記録する（図９（ｆ）参照）。
【００７１】
ＳＴ１４で記録開始後、さらにＮ列の記録媒体が（Ｌ３＋Ｌ４）記録されたかどうか判別し（ＳＴ１５）、ＹＥＳになったならば、Ｎ列の記録媒体を切断し（ＳＴ１６）、ＳＴ１１に戻って、Ｘ１（８８ｍｍ）の長さ分画像記録が終了したかどうか判別し、切断カウンタｉに１を加え（ＳＴ１２）、切断カウンタｉが回数ｍに等しくなったかどうか判別し（ＳＴ１３）、ＮＯの場合には、ＳＴ１４に進み上述した動作を繰り返す。ＹＥＳの場合には、ＳＴ１７以降に進む。本実施の形態では、切断カウンタｉは２となり、回数ｍ＝２と等しくなるので、ＳＴ１７以降に進む。
【００７２】
ＳＴ１７では、Ｎ列の記録媒体にさらにＬ３記録を行い、続いて、Ｎ列の記録媒体をＬ４搬送し（ＳＴ１８）、Ｎ列の記録媒体を切断し（ＳＴ１９）、Ｎ列の記録媒体を待機位置まで（Ｌ１＋Ｌ２＋Ｌ３＋Ｌ４）巻き戻して（ＳＴ２０）、一連の動作を終了する。
【００７３】
本実施の形態では、２列の記録媒体１ａ、１ｂにさらにＬ３＝３２ｍｍの記録を行った後、Ｌ４＝３６ｍｍ搬送して画像４、５を切断し（図１０（ｇ）参照）記録媒体１ａ、１ｂを１１２ｍｍ（Ｌ１＋Ｌ２＋Ｌ３＋Ｌ４＝４ｍｍ＋４０ｍｍ＋３２ｍｍ＋３６ｍｍ）戻す（図１０（ｈ）参照）。
【００７４】
ＳＴ２において、Ｋ＝０の場合、即ち、Ｎ列の記録媒体を同時に搬送しながら画像記録を行うことにより処理が可能な場合には、Ｎ列の記録媒体を記録開始位置まで（Ｌ１＋Ｌ２）搬送し（ＳＴ２１）、Ｎ列の記録媒体の画像１〜Ｎの記録を開始し（ＳＴ２２）、ＳＴ１１に進み、ＳＴ１１以降の各ステップでは上述した動作と同じ動作を行い、一連の動作を終了する。
【００７５】
以上説明したように、本発明によれば、Ｎ個の長尺状の記録媒体に画像記録する場合に、画像記録すべき一連の枚数が何枚であっても、全ての画像の記録が終了する時点ではＮ個の記録媒体全てに画像が記録されるように構成されているため、従来技術１のように記録媒体を切断するために何度も往復搬送する必要がなく、処理能力の向上を図ることが出来る。また、従来技術２に比べて、高精度な搬送手段を記録媒体の数だけ用意する必要がないため、コストアップを抑えつつ処理能力の向上を図ることが出来る。
【図面の簡単な説明】
【００７６】
【図１】画像記録装置の概略断面図。
【図２】記録ヘッド３１の斜視図。
【図３】図２の矢印Ｘ方向から見た図。
【図４】図２の矢印Ｚ方から見た図。
【図５】走査手段４０の斜視図。
【図６】画像記録装置Ａの制御構成図。
【図７】フローチャート図。
【図８】画像記録装置Ａの各ステップでの動作状態を表す説明図（１）。
【図９】画像記録装置Ａの各ステップでの動作状態を表す説明図（２）。
【図１０】画像記録装置Ａの各ステップでの動作状態を表す説明図（３）。
【図１１】従来技術１の平面、及び断面図。
【図１２】従来技術１の各ステップでの動作状態を表す説明図（１）。
【図１３】従来技術１の各ステップでの動作状態を表す説明図（２）。
【図１４】従来技術１の各ステップでの動作状態を表す説明図（３）。
【図１５】従来技術１の各ステップでの動作状態を表す説明図（４）。
【図１６】従来技術２の平面図。
【符号の説明】
【００７７】
１ａ、１ｂ  記録媒体
１０  供給手段
１０ａ  第１供給ローラ
１０ｂ  第２供給ローラ
１１ａ  第１供給モータ
１１ｂ  第２供給モータ
２０  搬送手段
２１  搬送ローラ
２２  搬送モータ
３０  記録手段
３１  記録ヘッド
４０  走査手段
４１  走査モータ
５０  切断手段
５１  切断モータ
１００  画像データ記憶手段
２００  枚数記憶手段
３００  制御手段
Ａ  画像記録装置
ＨＣ  ホストコンピュータ
【図１】
2006347101.tif 000003
【図２】
2006347101.tif 000004
【図３】
2006347101.tif 000005
【図４】
2006347101.tif 000006
【図５】
2006347101.tif 000007
【図６】
2006347101.tif 000008
【図７】
2006347101.tif 000009
【図８】
2006347101.tif 000010
【図９】
2006347101.tif 000011
【図１０】
2006347101.tif 000012
【図１１】
2006347101.tif 000013
【図１２】
2006347101.tif 000014
【図１３】
2006347101.tif 000015
【図１４】
2006347101.tif 000016
【図１５】
2006347101.tif 000017
【図１６】
2006347101.tif 000018